(57)【特許請求の範囲】
【請求項１】
換気扇を備える建屋又は部屋の壁又はドアに設けられたガラリに取付けられ、前記換気扇が稼働すると開き、換気扇が停止すると閉じる、ガラリを開閉するガラリ自動開閉扉であって、
上辺部を支点に回動する、ガラリを塞ぐように取付けられる開閉扉と、
前記開閉扉をガラリに吸着させる磁石と、
前記磁石を前記開閉扉の両側辺部に固定する磁石固定手段と、を含み、
前記磁石固定手段が、磁石を移動自在に収納する前記開閉扉の両側辺部の上下方向に設けられた溝と、前記磁石を前記溝の壁面に押付け固定させる押圧手段と、からなり、前記磁石を任意の高さに固定可能なことを特徴とするガラリ自動開閉扉。
【発明の詳細な説明】
【技術分野】
【０００１】
本発明は、ガラリに取付け使用するガラリ自動開閉扉に関する。
【背景技術】
【０００２】
建物又は部屋に外気を取り込む、建物又は部屋の空気を外部に排気するためにガラリが使用されている。ガラリには、給気量、換気量を調節し、又は給気、換気を行わせないように通気口を手動又は自動で開閉する開閉板が設けられたものがある。
【０００３】
建屋に設けられた手動式の開閉板を備えるガラリは、季節に応じて開閉される場合が多いが、建物内に冷暖房装置を設置することで、通年閉運用とされる場合もある。例えば、小規模の電気所において、省力化と省エネのためガラリを通年閉運用とし、通常、一台の冷房機器により室温を管理し、冷房機器が故障した場合、温度センサーにより換気扇を稼働させ室内を換気するケースがある。
【０００４】
冷房機器のバックアップに換気扇を使用する場合、ガラリが閉じていると換気量が不十分となり、室内の温度も十分に低下させることができない。ガラリには、電動で開閉するものもあり、このようなガラリを使用し、換気扇と連動させれば十分に換気を行うことができるがコストアップとなる。
【０００５】
このような問題を解決するために換気時に自動的に給気フィン（以下、開閉板と記す）を開いて給気を行うことができる自動開閉式給気ガラリが提案されている（例えば特許文献１参照）。
【先行技術文献】
【特許文献】
【０００６】
【特許文献１】特開平８−１５２１６３号公報
【発明の概要】
【発明が解決しようとする課題】
【０００７】
特許文献１に記載の自動開閉式給気ガラリは、開閉板をスプリング又は磁石より常に閉じる方向に吸引（吸着）し、排気時の室内の負圧により開閉板をスプリング又は磁石の吸引力（吸着力）に抗して室内方向に開くように構成している。このように構成すれば、換気扇を稼働させると室内が負圧となり、自動的に開閉板が開き、換気扇を停止させると自動的に開閉板が閉じるので、開閉板を開閉するために電動モータなどを設ける必要がなく好ましい。
【０００８】
特許文献１に記載の自動開閉式給気ガラリの場合、スプリングの吸引力又は磁石の吸着力が強すぎると換気扇が稼働しても開閉板が開かず、逆にスプリングの吸引力又は磁石の吸着力が弱過ぎると、外部の風により簡単に開閉板が開いてしまう。このため開閉板に取付けるスプリングの吸引力又は磁石の吸着力、取付け位置などを調節し、換気扇を稼働させたとき生じる室内の負圧の大きさとバランスさせる必要があるが、特許文献１にはスプリングの吸引力又は磁石の吸着力の決定方法などに関する具体的な記載はない。
【０００９】
開閉板を開閉させる力は、スプリングの吸引力又は磁石の吸着力、取付け位置はもちろん、換気扇の容量、建屋又は部屋の大きさ及び機密性、ガラリの大きさ、外気の風圧などの複数の因子により決定されるので、事前にスプリングの吸引力又は磁石の吸着力、取付け位置を決定することはできない。このため吸引力の異なるスプリング又は吸着力の異なる磁石を何種類か用意し、試行錯誤的に調整することとなるが調整は容易ではない。
【００１０】
本発明は、開閉の調節が容易であり所望の給気又は排気条件で開閉させることが可能な、ガラリに取付け使用するガラリ自動開閉扉を提供することである。
【課題を解決するための手段】
【００１１】
本発明は、換気扇を備える建屋又は部屋の壁又はドアに設けられたガラリに取付けられ、前記換気扇が稼働すると開き、換気扇が停止すると閉じる、ガラリを開閉するガラリ自動開閉扉であって、上辺部を支点に回動する、ガラリを塞ぐように取付けられる開閉扉と、前記開閉扉をガラリに吸着させる磁石と、前記磁石を前記開閉扉の両側辺部に固定する磁石固定手段と、を含み、前記磁石固定手段が、磁石を移動自在に収納する前記開閉扉の両側辺部の上下方向に設けられた溝と、前記磁石を前記溝の壁面に押付け固定させる押圧手段と、からなり、前記磁石を任意の高さに固定可能なことを特徴とするガラリ自動開閉扉である。
【発明の効果】
【００１３】
本発明のガラリ自動開閉扉は、換気扇を備える建屋又は部屋の壁又はドアに設けられたガラリに取付け使用されるガラリ自動開閉扉であり、開閉扉をガラリに吸着させる磁石を任意の高さに固定することができるため、開閉扉の開閉調節が容易であり、所望の給気又は排気条件で開閉させることができる。さらに磁石を任意の高さに固定する磁石固定手段を含めガラリ自動開閉扉の構造が簡単なので容易に実施可能であり実用性が高い。
【図面の簡単な説明】
【００１５】
【図１】本発明の第１実施形態であるガラリ自動開閉扉１の斜視図である。
【図２】図１のガラリ自動開閉扉１の背面図である。
【図３】図２の切断線Ａ−Ａで切断した断面図である。
【図４】図２の切断線Ｂ−Ｂで切断した断面図である。
【図５】図１のガラリ自動開閉扉１の他の磁石収納溝４１を示す断面図である。
【図６】図１のガラリ自動開閉扉１の他の磁石収納溝４２を示す断面図である。
【図７】本発明の第２実施形態であるガラリ自動開閉扉３の背面図である。
【図８】図７のガラリ自動開閉扉３のピンチ６１の斜視図である。
【図９】図７の切断線Ｃ−Ｃで切断し上下を反転した断面図である。
【図１０】図７の切断線Ｄ−Ｄで切断し上下を反転した断面図である。
【図１１】本発明の第３実施形態であるガラリ自動開閉扉５の背面図である。
【図１２】図１１の切断線Ｅ−Ｅで切断し上下を反転した断面図である。
【発明を実施するための形態】
【００１６】
図１は、本発明の第１実施形態であるガラリ自動開閉扉１の斜視図であり、図２は、ガラリ自動開閉扉１の背面図である。図３は、図２の切断線Ａ−Ａで切断した断面図であり、図４は、図２の切断線Ｂ−Ｂで切断した断面図である。以下、ガラリ自動開閉扉１を、換気扇を有する建屋の壁２００に設けられたガラリ１００に取付け使用する場合を例として、ガラリ自動開閉扉１の構成、作用、効果を説明する。
【００１７】
ガラリ自動開閉扉１は、建屋の壁２００に設けられたガラリ１００の前面１０２を覆うように取付けられ使用される。換気扇（図示省略）が稼働すると建屋内が負圧となり建屋内外の圧力差によりガラリ自動開閉扉１が自動的に開き、建屋外から建屋内に向って給気し、換気扇が停止するとガラリ自動開閉扉１が閉じてガラリ１００を塞ぎ、外気が建屋内に入り込むことを防止する。ここでガラリ１００の前面１０２とは、建屋内側の面を言う。
【００１８】
ガラリ自動開閉扉１は、ガラリ１００の前面１０２を開閉可能に覆う開閉扉１０と、開閉扉１０をガラリ１００に吸着させる、開閉扉１０の両側辺部１３に装着された磁石２０と、磁石２０を開閉扉１０に固定する磁石収納溝４０及び押圧手段であるスプリング５１からなる磁石固定手段３１とを有する。
【００１９】
開閉扉１０は、合成樹脂板で形成された、ガラリ前面１０２と同一の大きさの板状体であり、閉じたときガラリ前面１０２を完全に覆うことができる。開閉扉１０は、上辺部１５に蝶番９０が取付けられ、この蝶番９０を介してガラリ１００を覆うように壁２００に固定されている。さらに開閉扉１０の裏面１８の両側辺部１３には、磁石２０を収納し、固定するための磁石収納溝４０が設けられている。本明細書において両側辺部１３とは、両側の側辺及びその近傍を言う。
【００２０】
開閉扉１０は、両側辺部１３に磁石２０を収納、固定する磁石収納溝４０を設けることができる厚さがあれば、薄く、軽いことが好ましい。開閉扉１０が重くなり過ぎると、磁石２０の吸着力を小さくしても換気扇稼働時に開閉扉１０が開かなくなる。開閉扉１０が軽い場合は、磁石２０の吸着力を調整することで開閉扉１０を適切に開閉させることができる。また開閉扉１０を軽くすることで、蝶番９０も小型化できる。なお材質は、合成樹脂に限定されるものではない。
【００２１】
開閉扉１０は、全体を１枚の板で形成してもよいが、ガラリ１００の外周を覆う枠体と枠体を覆う板材とで形成し、枠体に磁石２０を収納、固定する磁石収納溝４０を設けてもよい。このようにすれば、中央部は板材のみとなるので、軽くすることができる。このとき板材の変形が懸念されれば、補強材を取付ければよい。
【００２２】
磁石２０は、開閉扉１０の裏面１８の両側辺部１３に設けられた磁石収納溝４０に収納、固定され、開閉扉１０をガラリ１００に吸着させ外気が建屋内に入り込むことを防止する。ここで使用する磁石２０は、永久磁石であり、磁石粉末とゴムとを混合し成形したゴム磁石、磁石粉末とプラスチックとを混合し成型固化したプラスチック磁石なども使用することもできる。なお、ガラリ１００が弱磁性体で磁石２０が吸着することができない場合は、ガラリ１００側に薄い鉄板などを貼付する。
【００２３】
磁石２０は、小型、薄型であり、横縦断面が台形の形状を有する。磁石２０の傾斜面２４は、図４に示すように内側に傾斜している。このような形状の磁石２０を使用するのは、磁石収納溝４０内に磁石２０を固定するとき、磁石の傾斜面２４を磁石収納溝４０の傾斜面４４に接触させ固定するためである。磁石２０の厚さを薄くすることで磁石２０を収納、固定する磁石収納溝４０の高さも低くなり、結果、開閉扉１０自体の厚さも薄くすることができる。
【００２４】
磁石固定手段３１は、開閉扉１０の両側辺部１３に磁石２０を固定させる手段であり、磁石２０が入り込む磁石収納溝４０と、磁石収納溝４０に磁石２０を固定すべく磁石収納溝４０の傾斜面４４に磁石２０を押し付ける押圧手段であるスプリング５１とを有する。
【００２５】
磁石収納溝４０は、開閉扉１０の裏面１８の両側辺部１３、より正確には両側の側辺１４から僅かに内側に入ったところに上辺１６近傍から下辺１７近傍まで設けられており、ガラリの外周枠１０４に一致する。
【００２６】
磁石収納溝４０は、横断面形状が台形であり、傾斜面４４は、磁石の傾斜面２４と一致させてある。磁石収納溝４０の深さは、磁石収納溝４０内で磁石２０を移動可能とするために磁石２０の高さよりも大きい。磁石収納溝４０は、開閉扉１０の表面１９まで貫通しないように設けられ、上端には、磁石２０を磁石収納溝４０内に嵌め込むための収納口４６が設けられている。上端に磁石２０を固定すると、僅かな力でガラリ自動開閉扉１が開くので、上端に磁石２０を固定することは殆どない。このために上端に収納口４６を設けている。
【００２７】
また磁石収納溝４０の底面４７には、スプリング５１が嵌り込む円弧状の凹部４８が所定の間隔で複数設けられている。凹部４８の数は、特定の数に限定されず、数が多いほど磁石２０の固定位置（高さ）を細かく設定することができる。
【００２８】
スプリング５１は、磁石収納溝４０の傾斜面４４に磁石の傾斜面２４を押し付け、磁石２０を磁石収納溝４０内に固定するための部材であり、磁石の底面２５に取付けられている。スプリング５１は、弾性を有する板材が円弧状に形成され、一端部５３のみが磁石の底面２５に固定され、他端部５５はフリーとなっている。これにより磁石２０を押し付けると、スプリング５１が平になるように変形し、移動が自在となる。
【００２９】
底面２５にスプリング５１を取付けた磁石２０を磁石収納溝４０に嵌め入れ、スプリング５１を磁石収納溝４０の凹部４８に嵌り込ませると、スプリング５１の移動が抑止され、さらにスプリング５１が、磁石の傾斜面２４と磁石収納溝の傾斜面４４とを圧接させるので磁石２０はその位置でしっかりと固定される。このとき磁石の表面２６と開閉扉の裏面１８とが面一となる。磁石の表面２６と開閉扉の裏面１８とを面一とすることで、開閉扉の裏面１８とガラリの表面１０２、より正確にはガラリの外周枠１０４とを密着させることができる。磁石収納溝の傾斜面４４は、先端部が狭くなるように傾斜しているので、磁石２０が磁石収納溝４０から飛び出すことはない。
【００３０】
ガラリ自動開閉扉１の使用方法の一例及び動作を説明する。ここでは、建屋内に換気扇を設け、換気扇が稼動すると、ガラリ自動開閉扉１が開き、建屋内に給気し、換気扇が停止しているときは外気が建屋内に入り込まないようにガラリ１００を塞ぐように使用する場合である。
【００３１】
開閉扉１０の裏面１８に設けられた磁石収納溝４０の収納口４６から、左右の磁石収納溝４０それぞれに磁石２０を嵌め入れ、磁石収納溝２０の中間位置に磁石２０を置く。磁石２０を移動させ、スプリング５１の底部５７を磁石収納溝の凹部４８に嵌め込むことで簡単に磁石２０を固定することができる。
【００３２】
蝶番９０を介して、ガラリ１００を覆うようにガラリ自動開閉扉１を取付け、換気扇を起動する。換気扇が稼動するとガラリ自動開閉扉１が自動的に開くか否か確認する。ガラリ自動開閉扉１が開かない場合は、磁石２０の位置を上辺１６側にスライド移動させる。逆にガラリ自動開閉扉１が開いた場合は、磁石２０の位置を下辺１７側にスライド移動させる。これらの操作により、換気扇を稼動させたときガラリ自動開閉扉１が開く、開かない境界点を見つける。最終的な磁石２０の固定位置は、前記境界点から少し上方（蝶番方向側）とする。
【００３３】
磁石２０の固定位置を上辺１６側にするほど、梃子の原理により少ない力でガラリ自動開閉扉１が開く。換気扇を稼動させたとき、ガラリ自動開閉扉１が開くようにするには、前記境界点よりも上方に磁石２０を固定すればよいが、屋外の風で簡単に開かないようにするためには、磁石２０はできるだけ下方に取り付けることが好ましい。この点を考慮し、最終的な磁石２０の固定位置は、少しの余裕を持たせ前記境界点から少し上辺１６側とする。
【００３４】
ガラリ自動開閉扉１の開閉を決める因子には、磁石２０、開閉扉１０の大きさ、重量、換気扇の容量、建屋の大きさ、気密性などがあり、これらが複合的に作用しガラリ自動開閉扉１が閉じ又は開く。このうち磁石２０が開閉に及ぼす影響は大きく、磁石２０が開閉扉１０に作用する力は、磁石２０自体の吸着力の他、開閉扉１０に対する磁石２０の取付け位置により大きく異なる。本実施形態のガラリ自動開閉扉１は、工具を使用することなく磁石２０の取付け位置を簡単に変更することができるので、容易に、換気扇の稼動によりガラリ自動開閉扉１が開き、換気扇停止時には外気が建屋内に入り込まないように調節することができる。
【００３５】
ガラリ自動開閉扉１では、磁石収納溝４０とスプリング５１とで磁石２０を任意の高さに固定可能とするが、磁石収納溝４０の形状は、図３、図４の形状に限定されるものではない。また磁石２０を磁石収納溝４０に固定する押圧手段も図３、図４に示すスプリング５１に限定されるものではない。
【００３６】
図５及び図６に他の磁石収納溝４１、４２及び押圧手段を示す。図１から図４に示す構成と同一の構成には同一の符号を付して説明を省略する。
【００３７】
図５は、他の磁石収納溝４１を示す横断面図である。ここに示す磁石収納溝４１は、横断面において上部に段差部４５を有し、磁石２１も磁石収納溝４１の横断面形状に合致するように段差部２７が設けられている。ここでは、図３及び図４と同様に、磁石２１を磁石収納溝４１の段差部４５の壁面に押付ける手段としてスプリング５１を使用する。図５に示す磁石収納溝４１において、磁石２１を固定するメカニズムは、図３及び図４に示す磁石収納溝４０と同じである。なお、ここで使用する磁石２１は、全体が１つの磁石となっているが、段差部２７から上のみを磁石とし、段差部２７から下の部分は他の部材で形成し、これらを貼り合わせて使用してもよい。
【００３８】
図６は、他の磁石収納溝４２を示す横断面図である。ここに示す磁石収納溝４２は、横断面において、中央部から下方が底面４７に対して垂直であり、中央部から上方が内側に向って傾斜しており、ここに収納、固定される磁石２２も磁石収納溝４２の横断面形状に合致するように上方部が内側に向った傾斜面２４となっている。ここでは、図３から図５に示す押圧手段とは異なり、磁石２２を磁石収納溝４２の傾斜面４４に押付ける手段として弾性を有する長方体のゴム材５９を使用する。ここでは、押圧手段にスプリング５１を使用する場合と異なり、磁石収納溝４２の底面４７に凹部４８を設けていない。磁石２２の傾斜面２４を磁石収納溝４２の傾斜面４４に押付け固定する点は、図３、図４に示す磁石収納溝４０及び磁石２０と同じである。
【００３９】
以上、第１実施形態に示すガラリ自動開閉扉１は、磁石２０、２１、２２が開閉扉１０内に収納され、さらに表面１９からは磁石２０、２１、２２が見えないので外観がすっきりとし好ましい。
【００４０】
図７は、本発明の第２実施形態であるガラリ自動開閉扉３の背面図、図８は、ガラリ自動開閉扉３のピンチ６１の斜視図である。図９は、図７の切断線Ｃ−Ｃで切断し上下を反転した断面図、図１０は、図７の切断線Ｄ−Ｄで切断し上下を反転した断面図である。図１から図６に示す第１実施形態のガラリ自動開閉扉１と同一の構成には、同一の符号を付して説明を省略する。
【００４１】
ガラリ自動開閉扉３もガラリ自動開閉扉１と同様に、ガラリ１００の前面１０２を開閉可能に覆う開閉扉１１と、開閉扉１１をガラリ１００に吸着させる、開閉扉１１の両側辺部１３に装着された磁石２３と、磁石２３を開閉扉１１に固定する磁石固定手段３３とを有し、建屋の壁２００に設けられたガラリの前面１０２に取付けられ、換気扇（図示省略）が稼働すると建屋内が負圧となりガラリ自動開閉扉３が開き、建屋外から建屋内に向って給気し、換気扇が停止すると閉じてガラリ１００を塞ぎ、外気が建屋内に入り込むことを防止する。
【００４２】
ガラリ自動開閉扉３とガラリ自動開閉扉１とは、基本的構成及び作用効果を同じくするが、磁石２３を固定する磁石固定手段３３が異なる。磁石固定手段３３は、ガラリ自動開閉扉１と同様に、開閉扉１１の両方の側辺部に設けられている。
【００４３】
磁石固定手段３３は、洗濯ばさみのようなピンチ６１からなり、複数のピンチ６１が、開閉扉１１の両方の側辺１４に上辺１６から下辺１７まで複数設けられている。ピンチ６１の数は、特定の数に限定されず、数が多いほど磁石２３の固定位置（高さ）を細かく設定することができる。ピンチ６１は、ガラリ自動開閉扉３を閉じたとき、固定する磁石２３がガラリの外周枠１０４上となるように設けられている。
【００４４】
ガラリ自動開閉扉３は、開閉扉１１の両方の側辺１４に磁石固定手段３３であるピンチ６１が取付けられるので、開閉扉１１は、ガラリ自動開閉扉１で使用する開閉扉１０と比較すると若干幅が狭い。但し、ガラリ自動開閉扉３を閉じたとき、ガラリ１００の給気口１０６を完全に塞ぐことができる点は、開閉扉１０と同じである。
【００４５】
開閉扉１１は、ガラリ自動開閉扉１で使用する開閉扉１０と異なり裏面１８に磁石２３を収納、固定するための磁石収納溝４０を有していない。このため開閉扉１１を加工する必要がなく、開閉扉１１を薄くすることができる。他の部分については、開閉扉１１は、開閉扉１０と同様に構成することができる。
【００４６】
ピンチ６１は、一対の挟持板６３（６３ａ、６３ｂ）が間隔を有した状態で、ばね付き支持軸６７で連結され構成されている。一方の挟持板６３ｂが、開閉扉１１の側辺１４に固定されており、挟持板６３の下端６４が開閉扉１１の裏面１８と同じ高さとなるように取付けられている。これによりピンチ６１で磁石２３を挟み込んだとき、磁石の表面２６と開閉扉１２の裏面１８とを簡単に面一とすることができる。なお、挟持板６３ａは、磁石２３を挟み込まないときも下端６４が、開閉扉１１の裏面１８から突出しないように斜めに加工されている。
【００４７】
ばね付き支持軸６７のばね（図示を省略）は、図９に示すように一対の挟持板６３の下方が閉じるように作用する。これにより挟持板６３の下方で磁石２３を挟み、磁石２３をしっかりと固定することができる。一対の挟持板６３の内側６５に滑り止め加工を施し、又は一対の挟持板６３の内側６５に滑り止め材を取付ければ、より確実に磁石２３を固定することができる。
【００４８】
磁石２３は、第１実施形態に示す磁石２０、２１、２２と同様に永久磁石であり、幅がピンチ６１のばね付き支持軸６７部分の間隔と同一な直方体の磁石である。磁石２３の幅とピンチ６１のばね付き支持軸６７部分の間隔とを一致させることで、ピンチ６１で磁石２３を挟み込んだとき、図８、図１０に示すように一対の挟持板６３が磁石２３の側面２９全体に接触し、磁石２３をしっかりと固定することができる。磁石２３は、形状を除けば、第１実施形態に示す磁石２０、２１、２２と同様に構成することができる。
【００４９】
ガラリ自動開閉扉３も第１実施形態のガラリ自動開閉扉１と同様に、任意の高さに磁石２３を固定することが可能であり、磁石２３の取付け位置の変更も簡単であるので、容易に、換気扇の稼動によりガラリ自動開閉扉３を開き、換気扇停止時には外気が建屋内に入り込まないように調節することができる。
【００５０】
図１１は、本発明の第３実施形態であるガラリ自動開閉扉５の背面図であり、図１２は、図１１の切断線Ｅ−Ｅで切断し上下を反転した断面図である。図１から図６に示す第１実施形態のガラリ自動開閉扉１、図７から図１０に示す第２実施形態のガラリ自動開閉扉３と同一の構成には、同一の符号を付して説明を省略する。
【００５１】
ガラリ自動開閉扉５もガラリ自動開閉扉１、３と同様に、ガラリ１００の前面１０２を開閉可能に覆う開閉扉１２と、開閉扉１２をガラリ１００に吸着させる、開閉扉１２の両方の側辺部１３に装着された磁石２３と、磁石２３を開閉扉１２に固定する磁石固定手段３５とを有し、建屋の壁２００に設けられたガラリの前面１０２に取付けられ、換気扇（図示省略）が稼働すると建屋内が負圧となりガラリ自動開閉扉５が開き、建屋外から建屋内に向って給気し、換気扇が停止すると閉じてガラリ１００を塞ぎ、外気が建屋内に入り込むことを防止する。
【００５２】
ガラリ自動開閉扉５とガラリ自動開閉扉１、３とは、基本的構成及び作用効果を同じくするが、磁石２３を固定する磁石固定手段３５が異なる。磁石固定手段３５は、ガラリ自動開閉扉１、３と同様に、開閉扉１２の両方の側辺部１３に設けられている。
【００５３】
磁石固定手段３５は、開閉扉１２の両方の側辺部１３にそれぞれ設けられた、磁石２３を収納、固定する磁石収納溝４３と、磁石収納溝４３に磁石２３を固定すべく磁石収納溝４３の内側壁面４９に磁石２３を押し付ける押圧具８１を有する。押圧具８１は、磁石２３の取付け位置を変更することができるように複数設けられている。押圧具８１の数は、特定の数に限定されず、数が多いほど磁石２３の固定位置（高さ）を細かく設定することができる。押圧具８１はガラリ自動開閉扉３を閉じたとき、固定する磁石２３がガラリの外周枠１０４上となるように設けられている。
【００５４】
磁石収納溝４３は、開閉扉１２の裏面の両側辺部１３に上辺１６から下辺１７まで設けられている。磁石収納溝４３は、図１２に示すように横断面形状が矩形であり、開閉扉１２の裏面１８を矩形に削り取る形で形成されており、表面１９には貫通していない。このため開閉扉１２の両側辺部１３の横断面は、Ｌ字型となっている。このＬ部分は、押圧具８１を支持する支持台７１として機能する。
【００５５】
押圧具８１は、磁石２３を磁石収納溝４３の内側壁面４９に押圧する押圧板８３と、支持台７１に穿設された貫通孔（図示省略）に挿通し、押圧板８３と連結する支持棒８５と、支持棒８５が挿通し、支持台７１と押圧板８３との間に位置し、押圧板８３を磁石収納溝４３の内側壁面４９に押付けるように作用する圧縮コイルばね８７とを有する。押圧板８３は、磁石収納溝４３と同じ高さであり、幅は、磁石２３と同じである。押圧板８３の磁石２３を挟み込む面には滑り止め加工が施されている。
【００５６】
押圧具８１に挟み込まれた磁石２３は、常に圧縮コイルばね８７で磁石収納溝４３の内側壁面４９に押付けられているので簡単に外れることはない。ここに示す磁石固定手段３５も第１実施形態に示す磁石固定手段３１、第２実施形態に示す磁石固定手段３３と同様に、工具を使用することなくワンタッチで磁石２３を固定することができる。
【００５７】
ガラリ自動開閉扉５も第１実施形態のガラリ自動開閉扉１、第２実施形態のガラリ自動開閉扉３と同様に、任意の高さに磁石２３を固定することが可能であり、磁石２３の取付け位置の変更も簡単であるので、容易に、換気扇の稼動によりガラリ自動開閉扉５が開き、換気扇停止時には外気が建屋内に入り込まないように調節することができる。
【００５８】
以上、第１から第３実施形態を用いて、本発明のガラリ自動開閉扉を説明したように本発明のガラリ自動開閉扉は、磁石を任意の高さに固定する磁石固定手段を含めガラリ自動開閉扉の構造が簡単なので容易に実施可能であり実用性が高い。このようなガラリ自動開閉扉は、電気、電子機器、その他熱を発する機器を備える建屋又は部屋、例えば電気所、通信用中継所、非常用ディーゼル発電機室など換気扇を稼動させて換気する給気ガラリに好適に使用することができる。
【００５９】
なお、本発明のガラリ自動開閉扉は、前記実施形態に限定されるものではなく、要旨を変更しない範囲で変更することができる。たとえば、第３実施形態に示す押圧具８１において、支持棒８５を雄ねじとし、支持台７１に雄ねじが螺合する雌ねじを設け、支持棒８５を回転自在に押圧板８３と接続し、支持棒８５をねじ込むことで磁石２３を固定するようにしてもよい。
【００６０】
また本発明のガラリ自動開閉扉は、ガラリ自動開閉扉を取付けたガラリの内外に予め定める圧力差以上の圧力差が生じたときにガラリ自動開閉扉が開き、ガラリの内外の圧力差が予め定める圧力差を下回ったときにガラリを完全に塞ぐ点に特徴があるので、給気以外に、排気ガラリにも使用することができる。
【符号の説明】
【００６１】
１  ガラリ自動開閉扉
３  ガラリ自動開閉扉
５  ガラリ自動開閉扉
１０  開閉扉
１１  開閉扉
１２  開閉扉
１３  開閉扉の両側辺部（両方の側辺部）
１５  開閉扉の上辺部
２０  磁石
２１  磁石
２２  磁石
２３  磁石
３１  磁石固定手段
３３  磁石固定手段
３５  磁石固定手段
４０  磁石収納溝
４１  磁石収納溝
４２  磁石収納溝
４３  磁石収納溝
５１  スプリング
５９  ゴム材
６１  ピンチ
８１  押圧具
１００  ガラリ
【図１】
0005936890.tif 000002
【図２】
0005936890.tif 000003
【図３】
0005936890.tif 000004
【図４】
0005936890.tif 000005
【図５】
0005936890.tif 000006
【図６】
0005936890.tif 000007
【図７】
0005936890.tif 000008
【図８】
0005936890.tif 000009
【図９】
0005936890.tif 000010
【図１０】
0005936890.tif 000011
【図１１】
0005936890.tif 000012
【図１２】
0005936890.tif 000013